(57)【要約】【課題】できるだけ軽量にして、コストの低廉化を図ると共に、強度も十分に確保できる足場板本体を有する足場板を提供する。【解決手段】天板部１の左右両側壁部２，２から夫々下向きに両側壁部２，２が突出し、両側壁部２，２の下端部から夫々内向きに支持壁部３，３が対向突出してなる足場板本体４を有する足場板において、足場板本体４が１枚の鋼板材のロールフォーミングにより成形されると共に、天板部１の幅方向中央部に側壁部２の高さＨの約１／２〜１／４程度下向きに突出する補強用リブ７が天板部の長さ方向全域に亘って一体に形成されている。【選択図】図４
2009035878.tif 000002
【特許請求の範囲】
【請求項１】
天板部の左右両側端部から夫々下向きに両側壁部が突出し、両側壁部の下端部から夫々内向きに支持壁部が対向突出してなる足場板本体を有する足場板において、
足場板本体が１枚の鋼板材のロールフォーミングにより成形されると共に、その天板部の幅方向中央部に側壁部の高さの約１／２〜１／４程度下向きに突出する補強用リブが天板部の長さ方向全域に亘って一体に形成されていることを特徴とする足場板。
【請求項２】
補強用リブは、断面が略Ｕ字状に形成されていることを特徴とする請求項１に記載の足場板。
【請求項３】
補強用リブは、断面が略三角形状に形成されて、その頂部が閉じていることを特徴とする請求項１に記載の足場板。
【請求項４】
補強用リブは、断面が略Ｉ字状に形成されていることを特徴とする請求項１に記載の足場板。
【請求項５】
断面略Ｕ字状に形成された補強用リブにはその下端部に水抜き用開口部が足場板本体長手方向所要間隔おきに設けられていることを特徴とする請求項２に記載の足場板。
【発明の詳細な説明】
【技術分野】
【０００１】
本発明は、建築工事や土木工事の作業足場に使用される鋼製の足場板に関するもので、特に足場板本体の全部が１枚の鋼板材によってロールフォーミングされた所謂１枚物からなる足場板に関する。
【背景技術】
【０００２】
作業足場に使用される鋼製足場板は、天板部の左右両側端部から夫々下向きに両側壁部が突出し、両側壁部の下端部から夫々内向きに支持壁部が対向突出してなる鋼製の足場板本体と、足場板本体の前後両端部に嵌着される端部キャップとからなるもので、普通の鋼製足場板では、天板部の長さが１８００ｍｍ、その幅が２５０ｍｍとされる。
【０００３】
そして鋼製足場板には、足場板本体の全部を１枚の鋼板材で所要断面形状にロール成形した１枚物と、足場板本体の半分ずつを１枚の鋼板材で所要断面形状にロール成形して、両成形体を接合するようにした２枚物とがある。
【０００４】
図９の(a) 〜(f) には従来の１枚物からなる足場板本体を示している。(a) の足場板本体Ａは、１枚の鋼板材のロールフォーミングによって、天板部１ａと、左右両側壁部２ａ，２ａと、両側壁部２ａ，２ａの下端部から夫々内向きに突出する支持壁部３ａ，３ａとを形成すると共に、天板部１ａの幅方向中央部に断面略倒Ｔ字状の補強用リブ７ａを一体形成したものであり、(b) の足場板本体Ｂは、天板部１ｂと左右両側壁部２ｂ，２ｂと支持壁部３ｂ，３ｂとを一体形成すると共に、天板部１ａの幅方向中央部に断面略々倒Ｔ字状の補強用リブ７ｂを形成したものであり、(c) の足場板本体Ｃは、天板部１ｃと左右両側壁部２ｃ，２ｃと支持壁部３ｃ，３ｃとを形成すると共に、天板部１ｃの幅方向中央部下面に略Ｕ字状の補強枠７ｃを溶接したものである。
【０００５】
また、(d) の足場板本体Ｄは、天板部１ｄと左右両側壁部２ｄ，２ｄと支持壁部３ｄ，３ｄとを一体形成すると共に、天板部１ｄの幅方向中央部に断面略々倒Ｔ字状の補強用リブ７ｄを形成したものであり、この補強用リブ７ｄの下端部は断面三角形の中空部７ｄｏを形成している。(e) の足場板本体Ｅは、天板部１ｅと左右両側壁部２ｅ，２ｄと支持壁部３ｅ，３ｅとを一体形成したものであり、(f) の足場板本体Ｆは、天板部１ｆと左右両側壁部２ｆ，２ｆと支持壁部３ｆ，３ｆとを形成すると共に、天板部１ｆの幅方向中央部下面に略Ｕ字状の補強枠７ｆを溶接したものである。
【発明の開示】
【発明が解決しようとする課題】
【０００６】
上記した図９の(a) 〜(f) の足場板本体Ａ〜Ｆのうち、足場板本体Ａ，Ｂ，Ｄは、夫々補強用リブ７ａ，７ｂ，７ｄの天板部１ａ，１ｂ，１ｄ下面からの突出長さが側壁部２ａ，２ｂ，２ｄの高さと同程度あることから、強度的には極めて有効であるが、足場板本体の重量が増大するという難点がある。また、足場板本体Ｃ，Ｆは、天板部１ｃ，１ｆの下面に側壁部２ｃ，２ｆの高さと同程度の高さの略Ｕ字状の補強枠７ｃ，７ｆを溶接したものであるから、これも強度は十分であるが、重量が増大する上に、溶接作業に手間がかかり、コストが高くつくといった難点がある。また、足場板本体Ｅのように、補強用リブや補強枠を設けない場合には、板厚を厚くすることによって強度の低下を補う必要があり、結局はコストの低廉化は期待できないことになる。
【０００７】
本発明は、上記の課題に鑑み、できるだけ軽量にして、コストの低廉化を図ると共に、強度も十分に確保できる足場板本体を有する足場板を提供することを目的とする。
【課題を解決するための手段】
【０００８】
上記課題を解決するための手段を、後述する実施形態の参照符号を付して説明すると、請求項１に係る発明は、天板部１の左右両側壁部２，２から夫々下向きに両側壁部２，２が突出し、両側壁部２，２の下端部から夫々内向きに支持壁部３，３が対向突出してなる足場板本体４を有する足場板において、
足場板本体４が１枚の鋼板材のロールフォーミングにより成形されると共に、その天板部１の幅方向中央部に側壁部２の高さＨの約１／２〜１／４程度下向きに突出する補強用リブ７が天板部の長さ方向全域に亘って一体に形成されていることを特徴とする。
【０００９】
請求項２は、請求項１に記載の足場板において、補強用リブ７は、断面が略Ｕ字状に形成されていることを特徴とする。
【００１０】
請求項３は、請求項１に記載の足場板において、補強用リブ７は、断面が略三角形状に形成されて、その頂部が閉じていることを特徴とする。
【００１１】
請求項４は、請求項１に記載の足場板において、補強用リブ７は、断面が略Ｉ字状に形成されていることを特徴とする。
【００１２】
請求項５は、請求項２に記載の足場板において、断面略Ｕ字状に形成された補強用リブ７にはその下端部に水抜き用開口部８が足場板本体長手方向所要間隔おきに設けられていることを特徴とする。
【発明の効果】
【００１３】
上記解決手段による発明の効果を、後述する実施形態の参照符号を付して説明すると、請求項１に係る発明によれば、足場板本体４を１枚の鋼板材のロールフォーミングにより成形すると共に、その天板部１の幅方向中央部に側壁部２の高さＨの約１／２〜１／４程度下向きに突出する補強用リブ７を天板部の長さ方向全域に亘って一体に形成したことによって、足場板本体４の重量をできるだけ軽量化して、コストの低廉化を図ることができると共に、強度も十分に確保することができる。ここで、補強用リブ７の突出高さｎを、側壁部２の高さＨの約１／２〜１／４程度としたのは、補強用リブ７の突出高さｎが側壁部２高さＨの１／２以上になると、それだけ足場板本体４の重量が増加することになり、またその突出高さｎが側壁部２の高さＨの１／４以下になると、軽量化を図ることはできるが、補強リブとしての十分な強度が得られず、しかして突出高さｎを側壁部２の高さＨの約１／２〜１／４程度とすれば、板厚を極力薄くして、十分な強度が得られると共に、十分な軽量化が図られるからである。
【００１４】
請求項２に係る発明のように、補強用リブ７は、その断面形状を略Ｕ字状に形成することができる。
【００１５】
請求項３に係る発明のように、補強用リブ７は、その断面形状を略三角形状に形成し、その頂部を閉じたものとすることができる。
【００１６】
請求項４に係る発明のように、補強用リブ７は、その断面形状を略Ｉ字状に形成することができる。
【００１７】
請求項５に係る発明によれば、請求項２に記載の補強用リブ７のように断面形状が略Ｕ字状のものにおいては、その下端部に水抜き用開口部８を足場板本体長手方向所要間隔おきに設けることにより、補強用リブ７内に溜まった雨水等を排出させることができる。
【発明を実施するための最良の形態】
【００１８】
以下に本発明の好適な実施形態を図面に基づいて説明すると、図１の(a) は本考案に係る足場板の平面図、(b) は正面図、(c) は底面図、(d) は端面図であり、図２の(a) は図１の(a) の矢印Ｘで示す部分の拡大図、(b) は(a) のＶ−Ｖ線断面図であり、図３の(a) は図１の(a) の矢印Ｙで示す部分の拡大図、(b) は(a) の左側面図であり、図４の(a) は図１の(c) の矢印Ｚで示す部分の拡大図、(b) は(a) のＷ−Ｗ線断面図である。これらの図面に示される足場板は、天板部１の左右両側壁部２，２から夫々下向きに両側壁部２，２が突出し、両側壁部２，２の下端部から夫々内向きに支持壁部３，３が対向突出してなる鋼製の足場板本体４と、この足場板本体４の前後両端部に嵌着される端部キャップ５，５とからなるもので、足場板本体４の左右両支持壁部３の夫々下面には滑り止め部６が形成されている。図１の(c)及び図３の(a) においてハッチングを施した部分が滑り止め部６を示す。
【００１９】
足場板本体４は、１枚の鋼板材のロールフォーミングにより、天板部１と左右両側壁部２，２と両側壁部２，２の下端部から夫々内向きに対向突出する支持壁部３，３とを一体成形したもので、天板部１の幅方向中央部には側壁部２の高さＨの約１／４の長さｎだけ下向きに突出する補強用リブ７が縦格子部材２の長さ方向全域に亘って一体に形成されている。図５は補強用リブ７の拡大断面図である。
【００２０】
尚、足場板本体４の両端部には端部キャップ５が夫々嵌合されて、リベット９によって両足場板本体４に固定されている。
【００２１】
補強用リブ７の突出高さｎは、側壁部２の高さＨの約１／２〜１／４程度としている。これは、補強用リブ７の突出高さｎが側壁部２の高さＨの１／２以上になると、それだけ足場板本体４の重量が増加し、またその突出高さｎが側壁部２の高さＨの１／４以下になると、軽量化を図ることはできるが、補強リブとしての十分な強度が得られず、しかして突出高さｎを側壁部２の高さＨの約１／２〜１／４程度とすれば、板厚を極力薄くして、十分な強度が得られると共に、十分な軽量化が図られるからである。
【００２２】
この足場板本体４の寸法を参考までに示せば次の通りである。即ち、足場板本体４の長さは１８００ｍｍ、幅は２５０ｍｍ、側壁部２の高さＨは４０ｍｍ、補強用リブ７の下向き突出長さｎは８ｍｍ、板厚ｔは０．８ｍｍである。そして、この足場板本体４の重量は７Ｋｇである。
【００２３】
そして、この足場板本体４の補強用リブ７にはその下端部に、図４の(b) 及び図５に示すように、水抜き用開口部８が足場板本体４の長手方向所要間隔おきに設けられている。この水抜き用開口部８を設けた理由は、補強用リブ７が断面略Ｕ字状に形成されていて、天板部１を上側にして置いた時に雨水等が溜まるため、水抜きが必要だからである。
【００２４】
図６の(a) に示す補強用リブ７は、図４及び図５に示す補強用リブ７と同じような断面が略Ｕ字状に形成されたものであるが、図４及び図５に示す補強用リブ７よりも溝幅の狭いリブである。また、この図６ に示す補強用リブ７にも、水抜き用開口部８が足場板本体４の長手方向所要間隔おきに設けられている。
【００２５】
図７に示す補強用リブ７は、断面が略三角形の中空状に形成されている（その中空部を７ｏで示している）と共に、その断面三角形の頂部が閉じた状態に形成された補強用リブである。この図７の補強用リブ７も、天板部１からの突出長さｎが側壁部２の高さＨの約１／２〜１／４程度であるものとする。この補強用リブ７は、断面三角形の頂部が閉じているから、図５及び図６の補強用リブ７のような水抜き用開口部８が不要となる。
【００２６】
図８に示す補強用リブ７は、断面が略Ｉ字状に形成されている補強用リブであり、この補強用リブ７も、天板部１からの突出長さｎが側壁部２の高さＨの約１／２〜１／４程度であるものとする。
【００２７】
以上説明したように、本発明に係る足場板では、足場板本体４を１枚の鋼板材のロールフォーミングにより成形すると共に、その天板部１の幅方向中央部に側壁部２の高さＨの約１／２〜１／４程度下向きに突出する補強用リブ７を天板部の長さ方向全域に亘って一体に形成したことによって、足場板本体４の重量をできるだけ軽量化して、コストの低廉化を図ることができると共に、足場板本体４の強度も十分に確保することができる。
【図面の簡単な説明】
【００２８】
【図１】(a) は本考案に係る足場板の平面図、(b) は正面図、(c) は底面図、(d) は端面図である。
【図２】(a) は図１の(a) の矢印Ｘで示す部分の拡大図、(b) は(a) のＶ−Ｖ線断面図である。
【図３】(a) は図１の(a) の矢印Ｙで示す部分の拡大図、(b) は(a) の左側面図である。
【図４】(a) は図１の(c) の矢印Ｚで示す部分の拡大図、(b) は(a) のＷ−Ｗ線断面図である。
【図５】図４に示す足場板本体に設けてある補強用リブの拡大断面図である。
【図６】(a) の他の形態の補強用リブを示す断面図、(b) は一部側面図である。
【図７】更に他の形態の補強用リブを示す断面図である。
【図８】更に他の形態の補強用リブを示す断面図である。
【図９】(a) 〜(f) ）は従来の１枚物からなる足場板本体の種々の形態を示す断面図である。
【符号の説明】
【００２９】
１            天板部
２            側壁部
３            支持壁部
４            足場板本体
７            補強用リブ
【図１】
2009035878.tif 000003
【図２】
2009035878.tif 000004
【図３】
2009035878.tif 000005
【図４】
2009035878.tif 000006
【図５】
2009035878.tif 000007
【図６】
2009035878.tif 000008
【図７】
2009035878.tif 000009
【図８】
2009035878.tif 000010
【図９】
2009035878.tif 000011